(57)【要約】  【課題】  情報記憶装置が記憶している情報が更新されることに対応した情報の処理を容易に行うことを可能にする情報処理方法、情報記憶システム、情報記憶装置、及びコンピュータプログラムを提供する。  【解決手段】  情報記憶装置１は、記憶している情報が更新された場合に送受信装置３へ更新通知を送信し、更新通知に対する返信を送受信装置３から受信する。情報記憶装置１は、情報の処理指示に対応する所定のコマンドが返信に含まれている場合に、コマンドに対応する処理指示に従って、文書の更新等の記憶している情報の処理を行う。使用者は、更新通知によって通知された情報の更新に対応して情報の処理を行う場合に、情報の処理指示に対応するコマンドを含む返信の電子メールを送信することで情報の処理を指示することができる。【選択図】        図１
2005293009.tif 000002
【特許請求の範囲】
【請求項１】
情報を記憶する情報記憶装置、及び該情報記憶装置との間で情報の送受信が可能な送受信装置を用い、前記情報記憶装置が記憶している情報を処理する方法において、
前記情報記憶装置は、記憶している情報が更新された場合に前記送受信装置へ更新通知を送信し、
前記送受信装置は、前記情報記憶装置が記憶している情報の処理を指示する処理指示を含む、前記情報記憶装置から受信した前記更新通知に対する返信を、前記情報記憶装置へ送信し、
前記情報記憶装置は、前記更新通知に対する返信を前記送受信装置から受信した場合に、前記返信に含まれる前記処理指示に従って、記憶している情報を処理すること
を特徴とする情報処理方法。
【請求項２】
情報を記憶する情報記憶装置、及び該情報記憶装置との間で情報の送受信が可能な送受信装置を含み、前記情報記憶装置は、記憶している情報が更新された場合に前記送受信装置へ更新通知を送信する手段を備える情報記憶システムにおいて、
前記送受信装置は、
前記情報記憶装置が記憶している情報の処理を指示する処理指示を含む、前記情報記憶装置から受信した前記更新通知に対する返信を、前記情報記憶装置へ送信する手段を備え、
前記情報記憶装置は、
前記更新通知に対する返信を前記送受信装置から受信した場合に、前記返信に含まれる前記処理指示に従って、記憶している情報を処理する手段を備えること
を特徴とする情報記憶システム。
【請求項３】
情報を記憶する記憶手段と、該記憶手段が記憶している情報が更新された場合に外部の装置へ更新通知を送信する送信手段と、外部の装置から情報を受信する受信手段とを備える情報記憶装置において、
前記受信手段が、前記送信手段が送信した前記更新通知の送信先の外部の装置から、前記更新通知に対する返信を受信した場合に、前記記憶手段が記憶している情報の処理を指示する処理指示が前記返信に含まれているか否かを判定する手段と、
前記処理指示が前記返信に含まれている場合に、前記返信に含まれる前記処理指示に従って、前記記憶手段が記憶している情報を処理する手段と
を備えることを特徴とする情報記憶装置。
【請求項４】
情報を記憶する記憶手段と、該記憶手段が記憶している情報が更新された場合に外部の装置へ更新通知を電子メールで送信する送信手段と、外部の装置から情報を電子メールで受信する受信手段とを備える情報記憶装置において、
前記受信手段が、前記送信手段が送信した前記更新通知の送信先の外部の装置から、前記更新通知に対する返信を電子メールで受信した場合に、前記記憶手段が記憶している情報の処理を指示する処理指示に対応する所定のコマンドが前記返信に含まれているか否かを判定する手段と、
前記コマンドが前記返信に含まれている場合に、前記返信に含まれている前記コマンドに対応する前記処理指示を獲得する手段と、
該手段が獲得した前記処理指示に従って、前記記憶手段が記憶している情報を処理する手段と
を備えることを特徴とする情報記憶装置。
【請求項５】
所定のコマンドと処理指示の内容とを互いに対応付けて記憶するコマンド記憶手段を備え、
前記獲得手段は、前記返信に含まれているコマンドに対応付けて前記コマンド記憶手段が記憶している処理指示を獲得すべくなしてあること
を特徴とする請求項４に記載の情報記憶装置。
【請求項６】
前記処理指示は、前記記憶手段が記憶している情報を更に更新する指示であることを特徴とする請求項４又は５に記載の情報記憶装置。
【請求項７】
情報を記憶しており、記憶している情報が更新された場合に外部の装置へ更新通知を送信し、外部の装置から情報を受信するコンピュータに、記憶している情報を処理させるコンピュータプログラムにおいて、
コンピュータに、送信した前記更新通知の送信先の外部の装置から、前記更新通知に対する返信を受信した場合に、記憶している情報の処理を指示する処理指示が前記返信に含まれているか否かを判定させる手順と、
コンピュータに、前記処理指示が前記返信に含まれている場合に、前記返信に含まれる前記処理指示に従って、記憶している情報を処理させる手順と
を含むことを特徴とするコンピュータプログラム。
【発明の詳細な説明】
【技術分野】
【０００１】
本発明は、情報を情報記憶装置で記憶し、情報記憶装置に接続された送受信装置から情報の処理を行う情報処理方法、情報記憶システム、情報記憶装置及びコンピュータプログラムに関する。
【背景技術】
【０００２】
多数人が共同参画する業務を行うためには、業務の日程を業務に関与する多数人が参照できるようにして管理する必要がある。従来、グループウェアを用いて業務日程を多数人が参照できる情報記憶システムが利用されている。このような情報記憶システムでは、業務の内容及び日程を示す日程情報をサーバ装置が記憶し、サーバ装置に接続されたパーソナルコンピュータ（ＰＣ）又は携帯電話等の複数の入出力装置が日程情報を出力し、多数人が日程情報を参照することができる。また、情報記憶システムを用いることによって、業務の日程情報のみならず定型文書又は設計図などの多数人で利用するその他の情報を多数人が参照できるように管理することもできる。
【０００３】
情報記憶システムのサーバ装置が記憶している情報は、業務の進行に伴って日程情報及び業務に係る文書が更新される等、必要に応じて更新される。従来の情報記憶システムには、サーバ装置が記憶している情報が更新された場合に更新通知を電子メールで入出力装置へ送信するものがある。情報記憶システムの使用者は、更新通知を受信した場合に、入出力装置を用いて更新通知を確認することにより、情報が更新されたことを知ることができる。
【特許文献１】特開２００３−６７３０６号公報
【特許文献２】特開２００２−７４０５号公報
【特許文献３】特開２００２−３５１７３０号公報
【特許文献４】特開２００２−１４０３４４号公報
【発明の開示】
【発明が解決しようとする課題】
【０００４】
前述の情報記憶システムでは、サーバ装置が記憶している情報の追加又は更新などの情報の処理は、入出力装置からの指示で行われる。例えば情報を追加する場合は、追加指示及び追加すべき情報を入出力装置がサーバ装置へ送信し、サーバ装置は受信した追加指示に従って情報を追加して記憶する。但し、情報の処理の指示を入出力装置がサーバ装置へ送信するためには、その前にＩＤ及びパスワードを用いた入出力装置の認証などのサーバ装置への接続処理を行う必要がある。ところで、サーバ装置が記憶している情報が更新された場合、更新通知を受け取った使用者は、更新された情報に対してコメントを追加する等の情報処理を必要とすることが多い。この場合においても、情報の処理を行おうとする都度、入出力装置とサーバ装置との前述のような接続処理を行う必要があり、情報の処理に手間が掛かるという問題がある。
【０００５】
本発明は、斯かる事情に鑑みてなされたものであって、その目的とするところは、更新通知に応じた情報の処理を容易に行うことを可能にする情報処理方法、情報記憶システム、情報記憶装置、及びコンピュータプログラムを提供することにある。
【課題を解決するための手段】
【０００６】
第１発明に係る情報処理方法は、情報を記憶する情報記憶装置、及び該情報記憶装置との間で情報の送受信が可能な送受信装置を用い、前記情報記憶装置が記憶している情報を処理する方法において、前記情報記憶装置は、記憶している情報が更新された場合に前記送受信装置へ更新通知を送信し、前記送受信装置は、前記情報記憶装置が記憶している情報の処理を指示する処理指示を含む、前記情報記憶装置から受信した前記更新通知に対する返信を、前記情報記憶装置へ送信し、前記情報記憶装置は、前記更新通知に対する返信を前記送受信装置から受信した場合に、前記返信に含まれる前記処理指示に従って、記憶している情報を処理することを特徴とする。
【０００７】
第２発明に係る情報記憶システムは、情報を記憶する情報記憶装置、及び該情報記憶装置との間で情報の送受信が可能な送受信装置を含み、前記情報記憶装置は、記憶している情報が更新された場合に前記送受信装置へ更新通知を送信する手段を備える情報記憶システムにおいて、前記送受信装置は、前記情報記憶装置が記憶している情報の処理を指示する処理指示を含む、前記情報記憶装置から受信した前記更新通知に対する返信を、前記情報記憶装置へ送信する手段を備え、前記情報記憶装置は、前記更新通知に対する返信を前記送受信装置から受信した場合に、前記返信に含まれる前記処理指示に従って、記憶している情報を処理する手段を備えることを特徴とする。
【０００８】
第３発明に係る情報記憶装置は、情報を記憶する記憶手段と、該記憶手段が記憶している情報が更新された場合に外部の装置へ更新通知を送信する送信手段と、外部の装置から情報を受信する受信手段とを備える情報記憶装置において、前記受信手段が、前記送信手段が送信した前記更新通知の送信先の外部の装置から、前記更新通知に対する返信を受信した場合に、前記記憶手段が記憶している情報の処理を指示する処理指示が前記返信に含まれているか否かを判定する手段と、前記処理指示が前記返信に含まれている場合に、前記返信に含まれる前記処理指示に従って、前記記憶手段が記憶している情報を処理する手段とを備えることを特徴とする。
【０００９】
第４発明に係る情報記憶装置は、情報を記憶する記憶手段と、該記憶手段が記憶している情報が更新された場合に外部の装置へ更新通知を電子メールで送信する送信手段と、外部の装置から情報を電子メールで受信する受信手段とを備える情報記憶装置において、前記受信手段が、前記送信手段が送信した前記更新通知の送信先の外部の装置から、前記更新通知に対する返信を電子メールで受信した場合に、前記記憶手段が記憶している情報の処理を指示する処理指示に対応する所定のコマンドが前記返信に含まれているか否かを判定する手段と、前記コマンドが前記返信に含まれている場合に、前記返信に含まれている前記コマンドに対応する前記処理指示を獲得する手段と、該手段が獲得した前記処理指示に従って、前記記憶手段が記憶している情報を処理する手段とを備えることを特徴とする。
【００１０】
第５発明に係る情報記憶装置は、所定のコマンドと処理指示の内容とを互いに対応付けて記憶するコマンド記憶手段を備え、前記獲得手段は、前記返信に含まれているコマンドに対応付けて前記コマンド記憶手段が記憶している処理指示を獲得すべくなしてあることを特徴とする。
【００１１】
第６発明に係る情報記憶装置は、前記処理指示は、前記記憶手段が記憶している情報を更に更新する指示であることを特徴とする。
【００１２】
第７発明に係るコンピュータプログラムは、情報を記憶しており、記憶している情報が更新された場合に外部の装置へ更新通知を送信し、外部の装置から情報を受信するコンピュータに、記憶している情報を処理させるコンピュータプログラムにおいて、コンピュータに、送信した前記更新通知の送信先の外部の装置から、前記更新通知に対する返信を受信した場合に、記憶している情報の処理を指示する処理指示が前記返信に含まれているか否かを判定させる手順と、コンピュータに、前記処理指示が前記返信に含まれている場合に、前記返信に含まれる前記処理指示に従って、記憶している情報を処理させる手順とを含むことを特徴とする。
【００１３】
第１、第２、第３、第４及び第７発明においては、情報記憶装置は、記憶している情報が更新された場合に外部の送受信装置へ更新通知を送信し、更新通知に対する返信を送受信装置から受信し、返信に含まれている処理指示に従って、情報の変更又は追加等、記憶している情報の処理を行う。
【００１４】
第５発明においては、情報記憶装置は、コマンドと処理指示の内容とを対応付けて記憶しておき、更新通知に対する返信に含まれるコマンドに対応する処理指示に従って処理を行う。
【００１５】
第６発明においては、更新通知に対する返信を用いて、情報記憶装置が記憶する情報の更なる更新を行う。
【発明の効果】
【００１６】
第１、第２、第３、第４及び第７発明にあっては、使用者は、更新通知によって通知された情報の更新に対応して情報の処理を行う場合に、情報の処理指示に対応するコマンドを含む返信を送信することで情報の処理ができるので、情報記憶装置に接続する処理を行う必要がなく、情報の処理を行う際の手間を省くことができる。
【００１７】
第５発明にあっては、情報記憶装置を含む情報記憶システムの運用を開始した後であっても、コマンドと処理指示の内容とを対応付けた記憶内容を変更することによって、更新通知に対する返信を利用した情報の処理の内容の修正、追加及び削除を容易に行うことができる。
【００１８】
第６発明にあっては、更新通知に対する返信を用いて情報の更なる更新を指示することができるので、更新通知によって通知された情報の更新に対応した情報の更なる更新を迅速に行うことができる等、本発明は優れた効果を奏する。
【発明を実施するための最良の形態】
【００１９】
以下本発明をその実施の形態を示す図面に基づき具体的に説明する。
図１は、本発明の情報記憶システムの構成及び本発明の情報記憶装置の内部構成を示すブロック図である。本発明の情報記憶装置１は、サーバ装置を用いて構成されており、演算を行うＣＰＵ（演算部）１１と、演算に伴って発生する一時的なデータを記憶するＲＡＭ１２と、ＣＤ−ＲＯＭドライブ等の外部記憶装置１３と、ハードディスク等の内部記憶装置（記憶部）１４とを備えている。ＣＰＵ１１は、ＣＤ−ＲＯＭ等の記録媒体２から本発明のコンピュータプログラム２０を外部記憶装置１３にて読み取り、読み取ったコンピュータプログラム２０を内部記憶装置１４に記憶させる。コンピュータプログラム２０は必要に応じて内部記憶装置１４からＲＡＭ１２へロードされ、ロードされたコンピュータプログラム２０に基づいてＣＰＵ１１は情報記憶装置１に必要な処理を実行する。
【００２０】
また、情報記憶装置１は、通信ネットワークＮに接続された通信部１５を備えている。通信ネットワークＮには、パーソナルコンピュータ（ＰＣ）又は携帯電話等の本発明に係る送受信装置３，３，…が通信可能に接続されている。送受信装置３は、キーボード又はテンキー等の入力部と、液晶ディスプレイ又はＣＲＴディスプレイ等の表示部とを備えている。また通信ネットワークＮには、メールサーバ装置４，４，…が接続されている。情報記憶装置１は、送受信装置３，３，…宛の電子メールを通信部１５から送信し、送受信装置３，３，…は、メールサーバ装置４経由で情報記憶装置１からの電子メールを受信することができる。また、送受信装置３，３，…は、情報記憶装置１から受信した電子メールに対する返信の電子メールを情報記憶装置１宛に送信することができる。
【００２１】
更に通信ネットワークＮには、ＰＣ等の情報入出力装置５，５，…が接続されている。情報入出力装置５は、ブラウザの機能を実現するためのコンピュータプログラムを実行する等の方法によりブラウザ機能を有しており、ブラウザ機能を用いて情報記憶装置１との間で通信ネットワークＮを介して情報の入出力を行うことができる。情報記憶装置１は、データを通信部１５から情報入出力装置５へ送信し、情報入出力装置５は、情報記憶装置１から送信されたデータを通信ネットワークＮを介して受信し、受信したデータをブラウザ機能を用いて表示部に表示することができる。なお、送受信装置３と情報入出力装置５とは同一の装置であってもよい。
【００２２】
内部記憶装置１４は、製品開発など多数人が共同参画する複数の業務の内容及び日程を示す日程情報を記録する日程情報ＤＢ１４１と、日程情報に関連付けられた関連情報を記録する関連情報ＤＢ１４２とを備えている。
【００２３】
図２は、日程情報ＤＢ１４１が記録する日程情報の内容例を示す概念図である。企画、報告会などの業務内容が記録され、更に、業務内容に対応してその業務を行う日程が記録されている。業務を行う使用者は、情報入出力装置５を操作して情報記憶装置１へ日程情報の要求を送信し、要求に応じて送信された日程情報を情報入出力装置５の表示部に表示することにより、日程情報を参照することができる。
【００２４】
図３は、関連情報ＤＢ１４２の内容の例を示す概念図である。業務内容に関連付けて、関連情報の名称が記録され、関連情報のファイルが記録されている。複数の業務の夫々について、複数の関連情報が関連付けられている。関連情報のファイルの内容は、報告書等の文書データ又は設計図等の画像データ等、業務に関係する情報である。各ファイルは、業務を行う使用者が作成し、情報入出力装置５が情報記憶装置１へ送信し、情報記憶装置１が関連情報ＤＢ１４２に記録させる。
【００２５】
本発明の情報記憶装置１は、情報入出力装置５から送信された更新指示に従って、日程情報の変更、新たな関連情報の登録などの更新を行い、情報の更新がされた場合に送受信装置３，３，…宛に更新通知の電子メールを送信する。内部記憶装置１４は、更新通知の電子メールを送信すべき送受信装置３，３，…の電子メールアドレスを記録したアドレステーブル１４３を記憶している。
【００２６】
また本発明に係る送受信装置３は、更新通知の電子メールを受信した場合に、日程情報の追加又は関連情報の内容へのコメントの追記等、内部記憶装置１４が記憶している情報を処理する処理指示に対応するコマンドを含む返信の電子メールを情報記憶装置１宛に送信することができる。内部記憶装置１４は、更新通知を見た送受信装置３の使用者に対して返信の電子メールの送信を促すために更新通知に含まれる定型文面を記録した定型文面データ１４４を記憶している。
【００２７】
図４は、定型文面データ１４４の内容例を示す概念図である。関連情報ＤＢ１４２に記録される文書ファイルの登録又は更新についての更新通知に関して、文書の更新及びコメントの追記ができることを案内し、これらの処理を指示する場合に返信の電子メールに記入すべきコマンドの記入方法を案内する定型文面が記録されている。また関連情報ＤＢ１４２に記録されるフォルダの新規作成についての更新通知に関して、このフォルダへの文書の登録及びコメントの追記を指示するために必要なコマンドを案内する定型文面が記録されている。また日程情報ＤＢ１４１に記録される日程情報の作成及び変更についての更新通知に関して、コメントの追記を指示するために必要なコマンドを案内する定型文面が記録されている。
【００２８】
更に本発明の情報記憶装置１は、送受信装置３から送信された返信の電子メールを受信し、返信の電子メールに情報の処理指示に対応するコマンドが含まれている場合に、コマンドに対応する処理指示に応じて、内部記憶装置１４が記憶している情報を処理する。内部記憶装置１４は、送受信装置３から返信される電子メールに含まれるコマンドと情報の処理指示とを対応付けたコマンドテーブル１４５を記憶している。
【００２９】
図５は、コマンドテーブル１４５の内容例を示す概念図である。返信の電子メールに含まれるべき「文書登録」又は「文書更新」等のコマンドに対して、このコマンドを含む返信の元の更新通知の種類が関係付けられており、コマンドと更新通知の種類との関係に対応して、処理指示の内容が記録されている。
【００３０】
更に内部記憶装置１４は、情報記憶装置１が送信した更新の電子メールの送信履歴を記録した更新通知管理ＤＢ１４６を備えている。図６は、更新通知管理ＤＢ１４６の記録内容の例を示す概念図である。更新通知管理ＤＢ１４６は、電子メールのメッセージＩＤ等を用いた個々の更新通知を特定する更新通知ＩＤに関連付けて、更新通知の電子メールを送信した宛先の電子メールアドレスと、送信した更新通知の種類と、更新通知を送信した日時と、更新通知に係る文書ファイル等の更新対象の情報とが全ての更新通知について記録されている。
【００３１】
次に、本発明の情報記憶システムが行う処理をフローチャートを用いて説明する。図７は、本発明の情報記憶装置１が行う更新通知送信の処理の手順を示すフローチャートである。情報記憶装置１のＣＰＵ１１は、ＲＡＭ１２にロードしたコンピュータプログラム２０に従って以下の処理を実行する。
【００３２】
ＣＰＵ１１は、情報入出力装置５から送信された更新指示に従った、日程情報の変更、関連情報の登録等の情報の更新を監視している（Ｓ１１）。情報の更新がない場合は（Ｓ１１：ＮＯ）、ＣＰＵ１１は、情報の更新の監視を続行する。情報の更新があった場合は（Ｓ１１：ＹＥＳ）、ＣＰＵ１１は、アドレステーブル１４３に電子メールアドレスが記録されている複数の送信先の中から、更新通知を送信すべき一の送信先を選択する（Ｓ１２）。ＣＰＵ１１は、次に、情報の更新の内容と更新通知の送信先とに応じて、更新通知の種類に対応して定型文面データ１４４に記録された定型文面を含む更新通知を作成し（Ｓ１３）、選択した送信先を宛先にした更新通知の電子メールを通信部１５に送信させる（Ｓ１４）。ＣＰＵ１１は、送信した更新通知の履歴を更新通知管理ＤＢ１４６に記録し（Ｓ１５）、更新通知を送信すべき全ての送信先に更新通知を送信したか否かを判定する（Ｓ１６）。まだ更新通知を送信していない送信先がある場合は（Ｓ１６：ＮＯ）、ＣＰＵ１１は、処理をステップＳ１２へ戻して更新通知を送信すべき送信先を選択する。更新通知を送信すべき全ての送信先に更新通知を送信した場合は（Ｓ１６：ＹＥＳ）、ＣＰＵ１１は、更新通知送信の処理を終了する。
【００３３】
図８は、本発明に係る送受信装置３が更新通知に対する返信を送信する処理の手順を示すフローチャートである。送受信装置３は、使用者が入力部を操作することによって受け付けた読み出し指示に従ってメールサーバ装置４が記憶している電子メールを読み出すか、又はメールサーバ装置４から送信された電子メールを受信するか等による、情報記憶装置１から送信された更新通知の電子メールの受信を監視する（Ｓ２１）。更新通知の受信がない場合は（Ｓ２１：ＮＯ）、送受信装置３は、更新通知の受信の監視を続行する。更新通知の電子メールを受信した場合は（Ｓ２１：ＹＥＳ）、送受信装置３は、更新通知の電子メールの内容を出力部に出力する（Ｓ２２）。
【００３４】
図９は、更新通知の電子メールの出力例を示す模式図である。図中には、フォルダが新規作成された場合の更新通知の例を示している。フォルダが新規作成された旨と、新規作成されたフォルダのパス名とが示されており、更に、返信の書式を案内する定型文面が示されている。
【００３５】
送受信装置３は、次に、使用者が入力部を操作することによる、更新通知に対する返信の電子メールの内容の受付を監視する（Ｓ２３）。返信の内容の受付がなかった場合は（Ｓ２３：ＮＯ）、送受信装置３は、処理を終了する。返信の内容を受け付けた場合は（Ｓ２３：ＹＥＳ）、送受信装置３は、更新通知に対する返信の電子メールを情報記憶装置１を宛先として送信し（Ｓ２４）、処理を終了する。
【００３６】
図１０は、更新通知に対する返信の例を示す模式図である。図中には、文書を登録する指示に対応するコマンドを含んだ返信の例を示している。更新通知での案内に従った「返信操作：文書登録」のコマンドが記入され、更に、登録する文書ファイルとなる添付ファイルが返信の電子メールに添付されている。また、文書の登録ではなくコメントの追記を指示する場合は、「返信操作：コメント追記」のコマンドが記入され、コメントの内容が記入される。
【００３７】
図１１及び図１２は、更新通知に対する返信を受信した本発明の情報記憶装置１が情報の処理を行う処理の手順を示すフローチャートである。情報記憶装置１のＣＰＵ１１は、ＲＡＭ１２にロードしたコンピュータプログラム２０に従って以下の処理を実行する。
【００３８】
ＣＰＵ１１は、メールサーバ装置４が記憶している電子メールを定期的に読み出すか、又はメールサーバ装置４から送信された電子メールを受信するか等による、更新通知に対する返信の電子メールの受信を監視している（Ｓ３０１）。更新通知に対する返信の受信がない場合は（Ｓ３０１：ＮＯ）、ＣＰＵ１１は、更新通知に対する返信の受信の監視を続行する。更新通知に対する返信の電子メールを受信した場合は（Ｓ３０１：ＹＥＳ）、ＣＰＵ１１は、受信した返信に対応する更新通知を特定する更新通知ＩＤを調べ、更新通知ＩＤが更新通知管理ＤＢ１４６に記録されている更新通知の履歴の中に含まれているか否かを判定する（Ｓ３０２）。更新通知ＩＤが更新通知の履歴の中に含まれていない場合は（Ｓ３０２：ＮＯ）、ＣＰＵ１１は、処理を終了する。
【００３９】
更新通知ＩＤが更新通知の履歴の中に含まれている場合は（Ｓ３０２：ＹＥＳ）、ＣＰＵ１１は、受信した返信の電子メールの送信元と、更新通知ＩＤに対応付けて更新通知管理ＤＢ１４６に記録されている更新通知の送信先とが一致しているか否かを判定する（Ｓ３０３）。返信の送信元と更新通知の送信先とが一致していない場合は（Ｓ３０３：ＮＯ）、ＣＰＵ１１は、処理を終了する。返信の送信元と更新通知の送信先とが一致している場合は（Ｓ３０３：ＹＥＳ）、受信した返信の電子メールが、コマンドテーブル１４５に記録されたコマンドを含んでいるか否かを判定する（Ｓ３０４）。返信がコマンドを含んでいない場合は（Ｓ３０４：ＮＯ）、ＣＰＵ１１は、処理を終了する。
【００４０】
返信の電子メールがコマンドを含んでいる場合は（Ｓ３０４：ＹＥＳ）、返信が含んでいるコマンドと更新通知の種類との対応が、コマンドテーブル１４５に記録されているコマンドと更新通知の種類との正当な対応であるか否かを判定する（Ｓ３０５）。返信が含んでいるコマンドと更新通知の種類との対応が正当な対応でない場合は（Ｓ３０５：ＮＯ）、ＣＰＵ１１は、書式不備を通知する電子メールを、返信の送信元を宛先にして送信し（Ｓ３１６）、処理を終了する。
【００４１】
返信が含んでいるコマンドと更新通知の種類との対応が正当な対応である場合は（Ｓ３０５：ＹＥＳ）、ＣＰＵ１１は、返信が含んでいるコマンドがコメント追記のコマンドであるか否かを判定する（Ｓ３０６）。コマンドがコメント追記のコマンドである場合は（Ｓ３０６：ＹＥＳ）、ＣＰＵ１１は、返信の電子メールにコメントの内容が含まれているか否かを判定する（Ｓ３０７）。返信にコメントの内容が含まれていない場合は（Ｓ３０７：ＮＯ）、ＣＰＵ１１は、書式不備を通知する電子メールを、返信の送信元を宛先にして送信し（Ｓ３１６）、処理を終了する。返信の電子メールにコメントの内容が含まれている場合は（Ｓ３０７：ＹＥＳ）、ＣＰＵ１１は、コメントの内容を含むコメントファイルを作成し（Ｓ３０８）、コマンドと更新通知の種類との対応に応じてコマンドテーブル１４５に記録されている処理指示に従って、コメントファイルを日程情報ＤＢ１４１又は関連情報ＤＢ１４２に記録し（Ｓ３０９）、処理を終了する。
【００４２】
ステップＳ３０６で返信が含んでいるコマンドがコメント追記のコマンドではない場合は（Ｓ３０６：ＮＯ）、コマンドが文書登録又は文書更新のコマンドである場合であり、ＣＰＵ１１は、返信の電子メールに添付ファイルが添付されているか否かを判定する（Ｓ３１０）。添付ファイルが添付されていない場合は（Ｓ３１０：ＮＯ）、ＣＰＵ１１は、書式不備を通知する電子メールを、返信の送信元を宛先にして送信し（Ｓ３１６）、処理を終了する。返信の電子メールに添付ファイルが添付されている場合は（Ｓ３１０：ＹＥＳ）、ＣＰＵ１１は、返信が含んでいるコマンドが文書更新のコマンドであるか否かを判定する（Ｓ３１１）。
【００４３】
コマンドが文書更新のコマンドである場合は（Ｓ３１１：ＹＥＳ）、ＣＰＵ１１は、返信の電子メールに添付された添付ファイルのファイル名とファイル名が一致する更新されるべき文書ファイルが関連情報ＤＢ１４２に記録されているか否かを判定する（Ｓ３１２）。添付ファイルのファイル名と一致するファイル名の文書ファイルが記録されていない場合は（Ｓ３１２：ＮＯ）、ＣＰＵ１１は、書式不備を通知する電子メールを、返信の送信元を宛先にして送信し（Ｓ３１６）、処理を終了する。添付ファイルのファイル名と一致するファイル名の文書ファイルが記録されている場合は（Ｓ３１２：ＹＥＳ）、ＣＰＵ１１は、コマンドと更新通知の種類との対応に応じてコマンドテーブル１４５に記録されている処理指示に従って、文書ファイルを更新し（Ｓ３１３）、処理を終了する。
【００４４】
ステップＳ３１１で返信が含んでいるコマンドが文書更新のコマンドでない場合は（Ｓ３１１：ＮＯ）、コマンドが文書登録のコマンドである場合であり、ＣＰＵ１１は、コマンドと更新通知の種類との対応に応じてコマンドテーブル１４５に記録されている処理指示に従って、添付ファイルの内容を記録した文書ファイルを作成し（Ｓ３１４）、作成した文書ファイルを関連情報ＤＢ１４２に記録し（Ｓ３１５）、処理を終了する。
【００４５】
以上詳述した如く、本発明においては、情報記憶装置１は、記憶している情報が更新された場合に送受信装置３へ更新通知を送信し、更新通知に対する返信を送受信装置３から受信し、返信に含まれているコマンドに対応する処理指示に従って、文書の更新等、記憶している情報の処理を行う。使用者は、更新通知によって通知された情報の更新に対応して情報の処理を行う場合に、情報の処理指示に対応するコマンドを含む返信の電子メールを送信することで情報の処理ができるので、情報記憶装置１に接続する処理を行う必要がなく、情報の処理を行う際の手間を省くことができる。また本発明においては、更新通知に対する返信を用いて情報の更なる更新を指示することができるので、更新通知によって通知された情報の更新に対応して、情報の更なる更新を迅速に行うことができる。
【００４６】
また、本発明においては、情報記憶装置１は、コマンドと処理指示の内容とを対応付けてコマンドテーブル１４５に記録しておき、更新通知に対する返信に含まれるコマンドに対応する処理指示に従って処理を行う。これにより、本発明の情報記憶システムの運用を開始した後であっても、コマンドテーブル１４５の内容を変更することによって、更新通知に対する返信を利用した情報の処理の内容の修正、追加及び削除を容易に行うことができる。
【００４７】
なお、本実施の形態においては、情報の処理として、文書登録、文書更新及びコメント追記を行う例を示しているが、これに限るものではなく、情報の移動及び削除などのその他の処理を行う形態であってもよい。また本実施の形態においては、情報記憶システムは業務の日程に係る日程情報及び関連情報を管理する形態を示したが、これに限るものではなく、文書のデータベース等、その他の情報を管理する形態であってもよい。
【図面の簡単な説明】
【００４８】
【図１】本発明の情報記憶システムの構成及び本発明の情報記憶装置の内部構成を示すブロック図である。
【図２】日程情報ＤＢが記録する日程情報の内容例を示す概念図である。
【図３】関連情報ＤＢの内容の例を示す概念図である。
【図４】定型文面データの内容例を示す概念図である。
【図５】コマンドテーブルの内容例を示す概念図である。
【図６】更新通知管理ＤＢの記録内容の例を示す概念図である。
【図７】本発明の情報記憶装置が行う更新通知送信の処理の手順を示すフローチャートである。
【図８】本発明に係る送受信装置が更新通知に対する返信を送信する処理の手順を示すフローチャートである。
【図９】更新通知の電子メールの出力例を示す模式図である。
【図１０】更新通知に対する返信の例を示す模式図である。
【図１１】更新通知に対する返信を受信した本発明の情報記憶装置が情報の処理を行う処理の手順を示すフローチャートである。
【図１２】更新通知に対する返信を受信した本発明の情報記憶装置が情報の処理を行う処理の手順を示すフローチャートである。
【符号の説明】
【００４９】
１  情報記憶装置
１１  ＣＰＵ
１４  内部記憶装置
２  記録媒体
２０  コンピュータプログラム
３  送受信装置
４  メールサーバ装置
５  入出力装置
Ｎ  通信ネットワーク
【図１】
2005293009.tif 000003
【図２】
2005293009.tif 000004
【図３】
2005293009.tif 000005
【図４】
2005293009.tif 000006
【図５】
2005293009.tif 000007
【図６】
2005293009.tif 000008
【図７】
2005293009.tif 000009
【図８】
2005293009.tif 000010
【図９】
2005293009.tif 000011
【図１０】
2005293009.tif 000012
【図１１】
2005293009.tif 000013
【図１２】
2005293009.tif 000014